(57)【要約】      （修正有）【課題】貯湯型急騰装置のヒートポンプユニットにて高圧側熱交換器で湯の沸き直しの効率低下を抑制する。【解決手段】一般家庭用給湯装置は、貯湯タンク１２内の温水を加熱するヒートポンプユニット１１と、水道水に排熱する蓄熱剤５６Ａを収容する熱回収タンク５６と、蓄熱剤５６Ａから排熱された水道水と貯湯タンク５６に蓄えられる温水とを混合弁２３ａ、２３ｂにて混合して出湯する給湯配管２２ａ、２２ｂと、貯湯タンク１２内の温水とブラインとの間で熱交換する熱交換器４０と、貯湯タンク１２内の温水を貯湯タンク１２および熱交換器４０の間で循環する循環回路３０とを備え、循環温水は、熱交換器４０から流出後にて、蓄熱剤５６Ａにより吸熱されて貯湯タンク１２に戻されるようになっている。したがって、貯湯タンク１２内に中間温度の温水が大量に貯まるのを抑制できる。【選択図】図３
2006132873.tif 000002
【特許請求の範囲】
【請求項１】
貯湯タンク（１２）と、前記貯湯タンク内に蓄えられる温水を加熱するためのヒートポンプ式の加熱装置（１１）と、を備える給湯装置であって、
外部から供される給水に排熱する蓄熱剤（５６Ａ）を収容する熱回収タンク（５６）と、
前記蓄熱剤から排熱された水と前記貯湯タンクに蓄えられる温水とを混合手段（２３ａ、２３ｂ）にて混合して出湯する給湯経路（２２ａ、２２ｂ）と、
前記貯湯タンクに蓄えられる温水と二次側流体との間で熱交換するための熱交換器（４０）と、
前記貯湯タンクに蓄えられる温水を前記貯湯タンクおよび前記熱交換器の間で循環する循環回路（３０）と、を備えており、
前記循環回路を循環する循環温水は、前記熱交換器から流出後にて、前記蓄熱剤により吸熱されて前記貯湯タンクに戻されるようになっていることを特徴とする給湯装置。
【請求項２】
貯湯タンク（１２）と、この貯湯タンク内に蓄えられる温水を加熱するためのヒートポンプ式の加熱装置（１３）と、前記貯湯タンクおよび前記ヒートポンプ式加熱装置の間で前記温水を循環する温水回路（７Ａ）と、を備える給湯装置であって、
前記貯湯タンクに蓄えられる温水と二次側流体との間で熱交換するための熱交換器（４０）と、
前記貯湯タンクに蓄えられる温水を前記貯湯タンクおよび前記熱交換器の間で循環する循環回路（３０）と、
外部から供給される給水に排熱する蓄熱剤（５６Ａ）を収容する熱回収タンク（５６）と、
前記蓄熱剤から排熱された水と前記貯湯タンクに蓄えられる温水とを混合手段（２３ａ、２３ｂ）にて混合して出湯する給湯経路（２２ａ、２２ｂ）と、を備えており、
前記ヒートポンプ式加熱装置の沸き上げ時にて、前記温水回路を循環する循環温水は、前記貯湯タンクから流出された後に前記蓄熱剤（５６Ａ）により吸熱されて前記ヒートポンプ式加熱装置に供給されるようになっていることを特徴とする給湯装置。
【請求項３】
前記蓄熱剤は、前記吸熱、排熱に伴って相変化する潜熱蓄熱材であることを特徴とする請求項１または２に記載の給湯装置。
【請求項４】
前記熱回収タンクは、第１、第２の熱回収タンクを有しており、
前記第１、第２の熱回収タンクには、それぞれ相変化温度の異なる蓄熱剤を収容されており、
前記吸熱、排熱に際しては、前記第１、第２の熱回収タンクのうち一方から他方に切り替えられて用いられるようになっていることを特徴とする請求項３に記載の給湯装置。
【請求項５】
前記熱回収タンクは、第１、第２の熱回収タンクを有しており、
前記第１、第２の熱回収タンクには、それぞれ相変化温度の異なる蓄熱剤を収容されており、
前記第１、第２の熱回収タンクは、前記給水と前記循環温水の流れに対して、直列的に配置されていることを特徴とする請求項３に記載の給湯装置。
【発明の詳細な説明】
【技術分野】
【０００１】
本発明は、貯湯タンク内に蓄えられる温水を加熱するための給湯装置に関する。
【背景技術】
【０００２】
図１に従来の給湯装置の構成を示す。蓄熱時は、貯湯タンク２０下部から冷水をポンプ１６にて取り出し、ヒートポンプユニット１１の熱交換器１３にて高温（例えば９０℃）まで加熱して貯湯タンク１２上部に戻す構造となっている。また、給湯時は、貯湯タンク１２上部から取り出された高温水と水道口５３から流出される水道水を給湯用混合弁２３ｂにて混合して所定の湯温にして洗面台、流し台などの出湯口３７から出湯したり、貯湯タンク１２上部からの高温水と水道口５３からの水道水を風呂用混合弁２３ａにて混合して所定の湯温にして風呂３９に向けて流す構造になっている。
【０００３】
ここで、貯湯タンク１２としては、冷水と高温水を比重差により積層貯湯する構造となっている。そこで、例えば、特に床暖房機能や風呂追焚き機能を設定したときは、貯湯タンク１２上部の高温水を熱交換器４０に供給して熱交換器４０から熱交換後の温水を貯湯タンク１２下部に戻す循環回路６５を構成し、熱交換器４０で高温水と熱交換された二次側温水（ブライン）が床暖房や風呂の追い炊きに用いられる。
【０００４】
一方、熱交換器４０で熱交換後の温水が貯湯タンク１２下部に戻ってくるが、その戻ってくる温水の水温は、水道水の温度まで低い温度ではなく、せいぜい３０℃〜４５℃の温度となる。
【０００５】
すなわち、熱交換器４０で熱交換されると３０℃〜４５℃の中温水となり、貯湯タンク１２下部に戻ってくることになる。すると、図１のように、貯湯タンク１２内に３０℃〜４５℃の中温水の湯が大量に貯まることになる。また、床暖房を構成せずとも給湯量が極度に少なくなったときなどは自然放熱により貯湯タンク１２内の中温水量が増加する。
【０００６】
このような４０３０℃〜４５℃の中温水は、そのままの温度では、床暖房、風呂などに用いることができないため、いずれはヒートポンプユニット１１に吸い込んで熱交換器１３で高温の湯に沸かし直さなくてはいけないが、ヒートポンプユニット１１の冷凍サイクルの特性上、吸い込み温度が上がるほど効率（沸き上げ熱量／消費電力）が低下するという特徴をもっているため、３０℃〜４５℃の中温水をヒートポンプユニット１１の沸かし直す際にはその効率が悪くなる。
【０００７】
これに対して、本出願人は、風呂や流し台の出湯口３７から出湯する場合において、熱交換器４０から戻ってくる熱交換後の中温水を温水熱回収タンク５６にて水道水を利用して冷却してから貯湯タンク１２の下部に戻すようにしてヒートポンプの効率を向上させる給湯装置について特許出願した（例えば、特許文献１参照）。
【０００８】
具体的には、図２に示すように、温水熱回収タンク５６内の上部に、熱交換器４０にて熱交換した後の中温水が流入し、温水熱回収タンク５６の底部に水道水が流入し、温水熱回収タンク５６内の底部側に溜まる低温の温水を貯湯タンク１２の底部に戻して、温水熱回収タンク５６内上部の中間温度の温水を混合弁２３ａ、２３ｂのそれぞれに流出する。このことにより、水道水ではなく、中間温度の温水が、混合弁２３ａ、２３ｂにて温度調整に用いられることになる。
【特許文献１】特開２００３−２２２３９７号公報
【発明の開示】
【発明が解決しようとする課題】
【０００９】
ところで、上述の特許文献１に記載の給湯装置では、主に、出湯口３７からの出湯と同時に床暖房が使用されたときに中温水の冷却が可能な構成となっており、十分に熱回収をするためには熱回収タンク５６にて大量の温水、水道水を貯水することが必要で、その容量を十分大きくする必要があり、設置スペースを大きく取らざるを得なかった。
【００１０】
本発明は、温水の沸き上げ効率の低下を抑制する新規な給湯装置を提供することを目的とする。
【課題を解決するための手段】
【００１１】
上記目的を達成するため、請求項１に記載の発明では、
貯湯タンク（１２）と、前記貯湯タンク内に蓄えられる温水を加熱するためのヒートポンプ式の加熱装置（１１）と、を備える給湯装置であって、
外部から供される給水に排熱する蓄熱剤（５６Ａ）を収容する熱回収タンク（５６）と、
前記蓄熱剤から排熱された水と前記貯湯タンクに蓄えられる温水とを混合手段（２３ａ、２３ｂ）にて混合して出湯する給湯経路（２２ａ、２２ｂ）と、
前記貯湯タンクに蓄えられる温水と二次側流体との間で熱交換するための熱交換器（４０）と、
前記貯湯タンクに蓄えられる温水を前記貯湯タンクおよび前記熱交換器の間で循環する循環回路（３０）と、を備えており、
前記循環回路を循環する循環温水は、前記熱交換器から流出後にて、前記蓄熱剤により吸熱されて前記貯湯タンクに戻されるようになっていることを特徴とする。
【００１２】
従来では、熱交換器から流出した循環温水が、中間温度の状態で、貯湯タンクに戻され、貯湯タンクの中間温度の温水が多量に貯まることになるため、中間温度の温水をヒートポンプ式の加熱装置で沸かし直すと、その効率の低下を招いていた。
【００１３】
これに対して、請求項１に記載の発明によれば、循環温水は、熱交換器から流出後にて、蓄熱剤により吸熱されて貯湯タンクに戻されるため、循環温水が冷やされて貯湯タンクに戻されることになる。したがって、貯湯タンク内に中間温度の温水が大量に貯まるのを抑制することができる。このため、貯湯タンク内の温水を沸き直すとしても、その効率を低下させることを抑制できるようにした新規な給湯装置を提供することができる。
【００１４】
また、請求項１に記載の発明では、熱回収タンク内に蓄熱材を収容しており、大量の水を貯水することを必要としない。
【００１５】
請求項２に記載の発明では、貯湯タンク（１２）と、この貯湯タンク内に蓄えられる温水を加熱するためのヒートポンプ式の加熱装置（１３）と、前記貯湯タンクおよび前記ヒートポンプ式加熱装置の間で前記温水を循環する温水回路（７Ａ）と、を備える給湯装置であって、
前記貯湯タンクに蓄えられる温水と二次側流体との間で熱交換するための熱交換器（４０）と、
前記貯湯タンクに蓄えられる温水を前記貯湯タンクおよび前記熱交換器の間で循環する循環回路（３０）と、
外部から供給される給水に排熱する蓄熱剤（５６Ａ）を収容する熱回収タンク（５６）と、
前記蓄熱剤から排熱された水と前記貯湯タンクに蓄えられる温水とを混合手段（２３ａ、２３ｂ）にて混合して出湯する給湯経路（２２ａ、２２ｂ）と、を備えており、
前記ヒートポンプ式加熱装置の沸き上げ時にて、前記温水回路を循環する循環温水は、前記貯湯タンクから流出された後に前記蓄熱剤（５６Ａ）により吸熱されて前記ヒートポンプ式加熱装置に供給されるようになっていることを特徴とする。
【００１６】
したがって、貯湯タンクから流出された後に蓄熱剤により冷やされてヒートポンプ式加熱装置に供給されるため、貯湯タンク内の温水を沸き直すとしても、その効率を低下させることを抑制できる。
【００１７】
具体的には、請求項３に記載の発明のように、蓄熱剤としては、前記吸熱、排熱に伴って相変化する潜熱蓄熱材を用いても良い。
【００１８】
例えば、給水の温度が相変化温度よりも低ければ、蓄熱剤から給水に排熱が可能なるものの、給水の温度が相変化温度よりも高いと、蓄熱剤から給水に排熱が不能になる。したがって、季節などの要因で給水の水温が高いと、蓄熱剤から給水に排熱することが不可能になる場合がある。
【００１９】
これに対して、請求項４に記載の発明では、前記熱回収タンクは、第１、第２の熱回収タンクを有しており、
前記第１、第２の熱回収タンクには、それぞれ相変化温度の異なる蓄熱剤を収容されており、
前記吸熱、排熱に際しては、前記第１、第２の熱回収タンクのうち一方から他方に切り替えられて用いられるようになっていることを特徴とする。
【００２０】
したがって、給水への排熱と循環温水からの吸熱は、第１、第２の熱回収タンクのうち一方で行われることになる。このため、給水の水温が一方の蓄熱剤の相変化温度より高くても他方の蓄熱剤の相変化温度より低ければ、他方の蓄熱剤で吸熱、排熱が可能になる。このため、給水の温度に応じて排熱、吸熱で用いる熱回収タンクを切り替えれば、従来のよりも広い温度幅の給水に対応して、排熱、吸熱を行うことができる。
【００２１】
一方、請求項５に記載の発明のように、前記熱回収タンクは、第１、第２の熱回収タンクを有しており、
前記第１、第２の熱回収タンクには、それぞれ相変化温度の異なる蓄熱剤を収容されており、
前記第１、第２の熱回収タンクは、前記給水と前記循環温水の流れに対して、直列的に配置されていれば、請求項４に記載の発明のように、排熱、吸熱で用いる熱回収タンクを切り替えることなく、従来のよりも広い温度幅の給水に対応して、排熱、吸熱を行うことができる。
【００２２】
なお、上記各手段の括弧内の符号は、後述する実施形態に記載の具体的手段との対応関係を示すものである。
【発明を実施するための最良の形態】
【００２３】
（第１実施形態）
本実施形態は、本発明による給湯装置を一般家庭用の給湯装置に適用したものであって、図３は一般家庭用の給湯装置の全体構成図であり、給湯装置の構成は、貯湯タンクユニット１０とヒートポンプユニット１１とに大別される。
【００２４】
貯湯タンクユニット１０は縦長の貯湯タンク１２を有し、ヒートポンプユニット１１の高圧側熱交換器（放熱器）１３で加熱された高温の温水が貯湯タンク１２の最上部の給湯口１４から貯湯タンク１２内に流入する。そして、貯湯タンク１２の底部の出口１５から温水が電動ポンプ１６によりヒートポンプユニット１１の高圧側熱交換器１３に流入する。
【００２５】
ここで、ヒートポンプユニット１１は電動圧縮機１７にて圧縮された高圧冷媒を高圧側熱交換器１３に流入させ、ここで、高圧冷媒と温水とを熱交換して温水を加熱し、高圧側熱交換器１３を通過した放熱後の高圧冷媒はその後、減圧装置１８（膨張弁）で低圧状態に減圧される。この低圧冷媒は蒸発器１９で大気等から吸熱して蒸発し、その後、アキュムレータ６２を通して電動圧縮機１７に吸入され、再度圧縮される。
【００２６】
ここで、貯湯タンク１２の底部には、水道水等を給水するための給水入口２０が設けてある。この給水入口２０に接続される給水配管２１の途中から給水配管２１ａを分岐している。なお、図３中符号５２は、減圧弁である。
【００２７】
また、貯湯タンク１２最上部の給湯口１４から高温の温水が流れる給湯配管２２ａと、後述する熱回収タンク５６の給水流路の出水口５６ａに接続される給水配管２４ａとを合流させ、その合流部に給湯用混合弁２３ｂを配置している。さらに、貯湯タンク１２最上部の給湯口１４から高温の温水が流れる給湯配管２２ｂと、後述する熱回収タンク５６の出水口５６ａに接続される給水配管２４ｂとを合流させ、その合流部に風呂用混合弁２３ａをも配置している。
【００２８】
これら混合弁２３ａ、２３ｂは、貯湯タンク１２内に貯湯された高温（６０℃〜９０℃程度）の温水と、後述する熱回収タンク５６の給水流路から流出する水との混合比率を調整して出湯口３７や風呂３９などに向けて流す給湯温水の温度を調整するものである。
【００２９】
なお、本例の混合弁２３ａ、２３ｂは上記混合比率を調整する弁体をモータ等のアクチュエータにより駆動するようになっており、給湯温水の温度を検出する温度センサ（サーミスタ）の検出温度により弁体位置を自動調整して、給湯温水の温度が目標温度に維持されようになっている。
【００３０】
一方、縦長形状の貯湯タンク１２には、その内部の温水温度を検出する温度センサ（サーミスタ）をタンク上下方向の異なる高さに複数設けてある。このタンク上下方向の複数の温度センサの検出信号により、上下方向の温水温度の勾配を判定することができる。そして、この上下方向の温水温度の勾配から、貯湯タンク１２内上部に所定温度（例えば６０℃）以上の高温温水が必要量あるかどうか、つまり、湯切れ状態の有無を判定できる。
【００３１】
そして、貯湯タンク１２内に所定温度（例えば６０℃）以上の高温温水が必要量ないときは湯切れ状態であると判定して、ヒートポンプユニット１１の加熱作動を始動し、高圧側熱交換器１３にて温水を加熱して、湯切れを解消するようになっている。
【００３２】
また、上述した混合弁２３ａ、２３ｂのそれぞれの下流部には配管を通して台所、洗面台等の出湯口３７、風呂３９に接続される。
【００３３】
一方、貯湯タンクユニット１０には、熱交換器４０と、熱交換器４０及び貯湯タンク１２の間で貯湯タンク１２内の温水をポンプ４１の作動により循環させる循環回路３０とが配置してある。
【００３４】
ここで、熱交換器４０は、貯湯タンク１２最上部の給湯口１４から高温の温水とブラインとの間で熱交換を行って、ブラインを加熱するものである。このブラインは熱交換器４０を含む閉回路からなる循環回路４４をポンプ４２により循環するようになっている。なお、ブラインは、熱交換器４０内で吸熱し、床暖房や風呂の追い炊きなどの機器３６にて放熱する熱媒体であって、具体的には、水道水や、不凍液を混合した水道水等を使用できる。
【００３５】
一方、循環回路３０において熱交換器４０の下流側には、戻り配管４３が設けられて、戻り配管４３は、ポンプ４１および熱回収タンク５６を通して貯湯タンク１２の下部に繋がっている。
【００３６】
ここで、熱回収タンク５６内には、中温水流路および給水流路が設けられており、中温水流路内には、戻り配管４３内の温水（すなわち、中温水）が流れるようになっている。一方、給水流路には、上述の給水配管２１ａから水道水が流れる。
【００３７】
ここで、中温水流路および給水流路には、蓄熱剤５６Ａとの間で十分な熱交換を行うためにスパイラル状（或いは、蛇行した）の配管が用いられて、十分な伝熱面積が確保されている。
【００３８】
そして、熱回収タンク５６内において、中温水流路および給水流路の間を埋めるように蓄熱剤５６Ａが封入されており、蓄熱剤５６Ａとしては、後述するように戻り配管４３内を流れる温水から吸熱して、かつ、給水配管２１ａ内を流れる低温の水道水に排熱する役割を果たす。ここで、蓄熱剤５６Ａとしては、例えば、融点１５℃の潜熱蓄熱材が用いられている。
【００３９】
次に、上記構成において作動を説明する。給水口２１により水道水が貯湯タンク１２の下部に供給され、貯水される。そして、貯湯タンク１２の下部の温水がポンプ１６によりヒートポンプユニット１１の高圧側熱交換器１３に送られ、ここで、サイクル内の高圧側冷媒からの放熱により温水が６０〜９０°Ｃに加熱され、貯湯タンク１２の上部に還流して貯湯される。
【００４０】
例えば、床暖房の暖房開始時（或いは、風呂の追い炊きの開始時）においては、貯湯タンク１２の上部に貯湯された高温の温水が、ポンプ４１により循環回路３０内を循環し、熱交換器４０では、貯湯タンク１２の上部からの温水とブラインとが熱交換される。そして、熱交換器４０で熱交換してポンプ４１を通過した
温水（以下、一次戻り水ともいう）は、戻り配管４３内を通り、熱回収タンク５６内の中間流路内に流入する。
【００４１】
ここで、熱回収タンク５６内では、蓄熱剤５６Ａが一次戻り水から吸熱して熱を蓄えるため、凝固する。一方、熱交換器４０から熱回収タンク５６に流入する一次戻り水の水温は、４０３０℃〜４５℃程度になっており、この一次戻り水（中温水）が蓄熱剤５６Ａにより冷やされて、図４中のグラフｃに示すように、１５℃〜２０℃程度になり、貯湯タンク１２の底部に戻されることになる。
【００４２】
図４中のグラフｃでは、中温水流路内の一次戻り水（中温水）の温度勾配を示しており、グラフｃから、入口側から出口側にかけて徐々に温度低下しているのが分かる。
【００４３】
次に、出湯時には、貯湯タンク１２の上部に貯湯された高温の温水は、給湯配管２２ａ、２２ｂを通り、混合弁２３ａ、２３ｂにて熱回収タンク５６の出水口５６ａからの水と混合されて目標温度の温水となり、その後、台所、洗面台等の出湯口３７あるいは風呂３９に供給される。
【００４４】
ここで、熱回収タンク５６内の給水流路おいては、水道口５３から給水配管２１、２１ａ内を通り水道水が流入し、ここで水道水の水温が１０℃以下ならば、蓄熱剤５６Ａが水道水に排熱して融解する。このため、図４に示すように、水道水（給水）が２０℃程度に暖められて混合弁２３ａ、２３ｂに流れ込むことになる。
【００４５】
なお、図４のグラフａでは、給水流路内の水温勾配を示しており、グラフａによれば、給水流路内では、給水流路の入口側から出口側にかけて徐々に水道水の温度（給水温度）が上昇していることが分かる。
【００４６】
このように暖められた水道水は、貯湯タンク１２内の高温温水と混合されて台所、洗面台等の出湯口３７、風呂３９に出湯されることになる。これにより、熱回収タンク５６で吸熱される熱が、出湯口３７、風呂３９で出湯される温水に利用されることになる。
【００４７】
次に、本実施形態の作用効果について説明する。
【００４８】
本実施形態の一般家庭用給湯装置は、貯湯タンク１２と、貯湯タンク１２内に蓄えられる温水を加熱するためのヒートポンプユニット１１と、外部から供される水道水（給水）に排熱する蓄熱剤５６Ａを収容する熱回収タンク５６と、蓄熱剤５６Ａから排熱された水道水と貯湯タンク５６に蓄えられる温水とを混合弁２３ａ、２３ｂにて混合して出湯する給湯配管（給湯経路）２２ａ、２２ｂと、貯湯タンク１２に蓄えられる温水とブライン（二次側流体）との間で熱交換するための熱交換器４０と、貯湯タンク１２に蓄えられる温水を貯湯タンク１２および熱交換器４０の間で循環する循環回路３０と、を備えており、循環回路４０を循環する循環温水は、熱交換器４０から流出後にて、蓄熱剤５６Ａにより吸熱されて貯湯タンク１２に戻されるようになっていることを特徴とする。
【００４９】
従来では、熱交換器４０から流出した循環温水が、中間温度の状態で、貯湯タンク１２に戻され、貯湯タンク１２の中間温度の温水が多量に貯まることになるため、中間温度の温水をヒートポンプユニット１１の高圧側熱交換器１３（ヒートポンプ式の加熱装置）で沸かし直すと、その効率の低下を招いていた。
【００５０】
これに対して、本実施形態によれば、循環温水は、熱交換器４０から流出後にて、蓄熱剤５６Ａにより吸熱されて貯湯タンク１２に戻されるため、循環温水が冷やされて貯湯タンク１２に戻されることになる。したがって、貯湯タンク１２内に中間温度の温水が大量に貯まるのを抑制することができる。このため、貯湯タンク１２内の温水を沸き直すとしても、その効率を低下させることを抑制できるようにした新規な給湯装置を提供することができる。
【００５１】
また、本実施形態では、蓄熱剤５６Ａを用いて熱回収しているため、上述の特許文献１に記載の発明のように、床暖と出湯と同時にすることを必要としないため、熱回収タンク５６の大きな容量を確保する必要がない。
【００５２】
（第２実施形態）
上述の第１実施形態では、熱交換器４０から貯湯タンク１２に戻る一次側戻り水を冷やして、熱回収するようにしたが、本第２実施形態では、これに代えて、貯湯タンク１２内からヒートポンプユニット１１の熱交換器１３に戻す温水（以下、戻り温水ともいう。）を冷やして熱回収するようにする。
【００５３】
本実施形態では、図５に示すように、熱交換器４０からの一次側戻り水を蓄熱剤５６Ａで冷やさずに、一旦、貯湯タンク１２の下部に戻す構成になっており、熱回収タンク５６内には、中温水流路に代えて、戻り温水を流す温水流路が設けられている。この温水流路は、戻り温水配管７に対してその中間部に直列的に繋がっており、戻り温水配管７は、貯湯タンク１２およびヒートポンプユニット１１の間で貯湯タンク１２内の温水を循環させる循環回路７Ａを構成している配管であり、この戻り温水配管７は、貯湯タンクの底部出口１５からヒートポンプユニット１１の高圧側熱交換器１３にまで接続されている。
【００５４】
したがって、本実施形態では、例えば、夜間にてヒートポンプユニット１１の沸き上げ時に、循環回路７Ａを循環する温水は、貯湯タンク１２から流出された後に熱回収タンク５６内の温水流路を流れ、蓄熱剤５６Ａにより吸熱されてヒートポンプユニット１１の高圧側熱交換器１３に供給されるようになっている。このため、高圧側熱交換器１３には、温水が冷やされて戻されるので、高圧側熱交換器１３での沸き上げの効率低下を抑制できる。
【００５５】
一方、蓄熱剤５６Ａは、上述第１実施形態と同様、給水流路を流れる水道水に排熱する。
【００５６】
（第３実施形態）
上述の第１実施形態によれば、一種類の融点１５℃の潜熱蓄熱材だけを採用したため、給水流路を流れる水道水の温度（以下、給水温度ともいう）が比較的低い冬期では、給水温度が融点１５℃よりも低く、潜熱蓄熱材により給水流路を流れる水道水を十分に冷やすことが可能になる。一方、夏期になると給水温度が融点１５℃よりも高くなり（例えば２５℃）、潜熱蓄熱材を相変化させることができなくなり、潜熱蓄熱材により給水流路を流れる水道水を暖めることが不能になる。
【００５７】
そこで、本実施形態では、図６に示すように、２種類の融点の潜熱蓄熱材５６Ａ、５６Ｂを採用して、通年で潜熱蓄熱材により給水流路を流れる水道水を暖めることが可能にする。すなわち、上述の第１実施形態に比べて、幅広い温度の水道水に対応して熱回収（すなわち、水道水の加熱）を可能にする。
【００５８】
具体的には、潜熱蓄熱材５６Ａ、５６Ｂはそれぞれ熱回収タンク５６、５６ａに収納されており、潜熱蓄熱材５６Ｂの融点は３０℃であって、潜熱蓄熱材５６Ａの融点１５℃に比べて高くなっている。
【００５９】
また、熱回収タンク５６、５６ａは、水道水、中温水の流れに対して並列的に配設されており、熱回収（吸熱、排熱）に際しては、熱回収タンク５６、５６ａのうち一方だけが他方から切り替えられて使用される。
【００６０】
具体的には、給水配管２１ａおよび熱回収タンク５６、５６ａの間には、切替弁７２が設けられており、この切替弁７２は、熱回収タンク５６、５６ａのうち一方の給水流路から他方の給水流路に切り替えて流す。
【００６１】
また、熱回収タンク５６、５６ａおよび混合弁２３ａ（２３ｂ）の間には、切替弁７４が設けられており、この切替弁７４は、熱回収タンク５６、５６ａのうち一方と混合弁２３ａ、２３ｂとを接続し、他方の熱回収タンクと混合弁２３ａ、２３ｂとを遮断する。
【００６２】
さらに、熱回収タンク５６、５６ａおよび熱交換器４０の間には、切替弁７３が設けられており、この切替弁７３は、熱回収タンク５６、５６ａのうち一方の中温水流路と熱交換器４０との間を接続し、他方の中温水流路と熱交換器４０との間を遮断する。
【００６３】
また、熱回収タンク５６、５６ａおよび貯湯タンク１２下部の間には、切替弁７１が設けられており、この切替弁７１は、熱回収タンク５６、５６ａのうち一方の中温水流路と貯湯タンク１２下部の間を接続し、他方の中温水流路と貯湯タンク１２下部との間を遮断する。
【００６４】
以上のように構成される本実施形態では、切替弁７１〜７４が手動で切り替えられる。例えば、冬期では、切替弁７１が、熱回収タンク５６の中温水流路と貯湯タンク１２下部との間を接続し、切替弁７２が、給水配管２１ａおよび熱回収タンク５６の給水流路の間を接続する。そして、切替弁７３が、熱回収タンク５６の中温水流路と熱交換器４０との間を接続し、切替弁７４が、熱回収タンク５６の給水流路と混合弁２３ａ、２３ｂとの間を接続する。
【００６５】
このため、給水配管２１ａからの水道水が熱回収タンク５６の給水流路に流入して、混合弁２３ａ、２３ｂに向けて流れ込む。また、熱交換器４０からの一次戻り水が熱回収タンク５６の中温水流路に流入して、その後、中温水流路から貯湯タンク１２下部に戻される。
【００６６】
したがって、水道水の温度が低いときには、熱回収タンク５６で熱回収（吸熱、排熱）が行われることになる。
【００６７】
また、夏期では、切替弁７１が、熱回収タンク５６ａの中温水流路と貯湯タンク１２下部との間を接続し、切替弁７２が、給水配管２１ａおよび熱回収タンク５６ａの給水流路の間を接続する。そして、切替弁７３が、熱回収タンク５６ａの中温水流路と熱交換器４０との間を接続し、切替弁７４が、熱回収タンク５６ａの給水流路と混合弁２３ａ、２３ｂとの間を接続する。
【００６８】
このため、給水配管２１ａからの水道水が熱回収タンク５６ａの給水流路に流入して、混合弁２３ａ、２３ｂに向けて流れ込む。また、熱交換器４０からの一次戻り水が熱回収タンク５６ａの中温水流路に流入して、その後、中温水流路から貯湯タンク１２下部に戻される。したがって、水道水の温度が低いときには、熱回収タンク５６ａで熱回収（吸熱、排熱）が行われることになる。
【００６９】
上述の第３実施形態では、切替弁７１〜７４を手動で切り替るようにした例について説明したが、これに代えて、次のようにしてもよい。すなわち、水道水の温度を検出する温度センサを採用し、さらに切替弁７１〜７４として電磁弁を採用する。そして、制御回路によって、温度センサの検出温度に応じて、切替弁７１〜７４を切り替えるようにする。
【００７０】
（第４実施形態）
本第４実施形態では、熱回収タンク５６、５６ａを、水道水（中温水）の流れに対して並列的に配設する例について説明したが、本実施形態では、熱回収タンク５６、５６ａを図７に示すように水道水、中温水の流れに対して直列的に配設する。
【００７１】
これによれば、上述の第３実施形態のように、熱回収（吸熱、排熱）を行う熱回収タンク５６（５６ａ）を切り替えることなく、幅広い温度の水道水に対応して熱回収（すなわち、水道水の加熱）を可能にすることができる。
【００７２】
ここで、図７中のグラフａ１は、冬期における熱回収タンク５６、５６ａの給水流路内において水温度勾配を示し、グラフｂ１は、冬期における熱回収タンク５６ａの蓄熱材の温度勾配を示し、グラフｃ１は、冬期における熱回収タンク５６ａの中間温水流路の温度勾配を示している。そして、図７中のグラフａ２は、夏期における熱回収タンク５６、５６ａの給水流路内において水温度勾配を示し、グラフｂ２は、夏期における熱回収タンク５６ａの蓄熱材の温度勾配を示し、グラフｃ２は、夏期における熱回収タンク５６ａの中間温水流路の温度勾配を示している。
【００７３】
（その他の実施形態）
上述の第３実施形態では、上述の第１実施形態の構成に対して並列的に接続される二つの熱回収タンク５６、５６ａを採用した例について説明したが、これに代えて、上述の第２実施形態の構成に対して並列的に接続される二つの熱回収タンク５６、５６ａを採用するようにしてもよい。
【００７４】
上述の第４実施形態では、上述の第１実施形態の構成に対して直列的に接続される二つの熱回収タンク５６、５６ａを採用した例について説明したが、これに代えて、上述の第２実施形態の構成に対して直列的に接続される二つの熱回収タンク５６、５６ａを採用するようにしてもよい。
【００７５】
上述の各実施形態では、本発明の係る給湯装置を一般家庭用の給湯装置に適用した例について説明したが、これに限らず、給湯装置を業務用の給湯装置に適用してもよい。
【００７６】
上述の各実施形態では、熱回収タンク５６内において、戻り配管４３内の温水が流れる中温水流路としてはスパイラル状（或いは、蛇行した）配管が用いられ、かつ、給水配管２１ａからの水道水が流れる給水流路としてスパイラル状（或いは、蛇行した）配管が用いられるようにした例について説明したが、これに限らず、次のようにしてもよい。
【００７７】
すなわち、熱回収タンク５６としては、二つの多穴プレート５６０ａ、５６０ｂの間に蓄熱材５６Ａを挟み込む構造を採用してもよい。多穴プレート５６０ａは、複数（図中９本）の配管５６１ａを並列的に並べて構成されており、各配管５６１ａは、戻り配管４３内の温水を流すための配管である。また、多穴プレート５６０ｂは、複数（図中９本）の配管５６１ｂを並列的に並べて構成されており、各配管５６１ｂは、それぞれ、給水配管２１ａからの水道水を流すための配管である。また、図６、図７に示す熱回収タンク５６ａとしても、二つの多穴プレートの間に蓄熱材５６Ａを挟み込む構造を採用してもよい。
【００７８】
以下、上記実施形態と特許請求項の範囲の構成との対応関係について説明すると、ヒートポンプユニット１１がヒートポンプ式の加熱装置に相当し、熱回収タンク５６が熱回収タンクに相当し、給湯用混合弁２３ｂ、風呂用混合弁２３ａが混合手段に相当し、循環回路３０が循環回路に相当し、循環回路７Ａが温水回路に相当し、熱交換器４０が熱交換器に相当し、給湯配管２２ａ、２２ｂが給湯経路に相当し、熱回収タンク５６、５６ａが第１、第２の熱回収タンクに相当する。
【図面の簡単な説明】
【００７９】
【図１】給湯装置の構成を示す模式図である。
【図２】給湯装置の構成を示す模式図である。
【図３】本発明の第１実施形態の一般家庭用の給湯装置の構成を示す模式図である。
【図４】図３中の熱回収タンクの作動を説明するための模式図である。
【図５】本発明の第２実施形態の一般家庭用の給湯装置の構成を示す模式図である。
【図６】本発明の第３実施形態の熱回収タンクの作動を説明するための模式図である。
【図７】本発明の第４実施形態に係る熱回収タンクの作動を説明するための模式図である。
【図８】図３の熱回収タンクの変形例を示す図である。
【符号の説明】
【００８０】
１１…ヒートポンプユニット、１２…貯湯タンク、１３…高圧側熱交換器、
２３ａ、２３ｂ…混合弁、４０…熱交換器、５６…熱回収タンク、
５６Ａ…蓄熱剤。
【図１】
2006132873.tif 000003
【図２】
2006132873.tif 000004
【図３】
2006132873.tif 000005
【図４】
2006132873.tif 000006
【図５】
2006132873.tif 000007
【図６】
2006132873.tif 000008
【図７】
2006132873.tif 000009
【図８】
2006132873.tif 000010